(57)【特許請求の範囲】
【請求項１】
画データの送信機と通信する通信部と、
前記通信部が前記送信機から受信した画データを保存する、書き換え回数に制限のある半導体メモリと、
前記半導体メモリの不良ブロック数を取得する不良情報取得部と、
制御部と、
を有し、
ページサイズ毎にそのページサイズの通常のライン数より少ない確認ライン数を予め定めておき、
前記制御部は、受信開始時に、前記半導体メモリの現在の不良ブロック数を取得し、該取得した不良ブロック数が閾値以上の場合は、１ページ目の画データの受信開始前に前記送信機に通知する受信側の解像度能力として、不良ブロック数が前記閾値未満の場合に通知する解像度よりも低い解像度を通知する第１制御を行うと共に、受信中のページの受信済みのライン数が該受信中のページのページサイズに対応する前記確認ライン数を超えるタイミングで前記不良ブロック数の取得処理を開始し、該取得処理で得た第１の不良ブロック数が閾値以上の場合は、次ページの画データを、受信した解像度より低い解像度に変換して前記半導体メモリに保存する第２制御を行う
ことを特徴とする画像通信装置。
【請求項２】
前記制御部は、前記送信機がアドレス帳に登録されている、もしくは、前記送信機を送信先とする送信履歴がある場合にのみ、前記第１制御を行う
ことを特徴とする請求項１に記載の画像通信装置。
【請求項３】
前記受信中のページの受信終了時点で、該ページの全受信ライン数と、該ページのページサイズに対応する確認ライン数と、該ページの受信開始時の不良ブロック数と、前記第１の不良ブロック数とに基づいて前記ページの受信終了時点における不良ブロック数を推定し、前記第１の不良ブロック数に代えて前記推定で得た不良ブロック数が閾値以上の場合に、前記第２制御を行う
ことを特徴とする請求項１または２に記載の画像通信装置。
【請求項４】
前記制御部は、前記第２制御を行うと判断した場合であって次ページの受信開始前に受信側の能力を前記送信機に通知可能な場合は、前記第２制御に代えて、次ページの受信に関する受信側の解像度能力として、不良ブロック数が前記閾値未満の場合に通知する解像度よりも低い解像度を通知する制御を行う
ことを特徴とする請求項１乃至３のいずれか１つに記載の画像通信装置。
【請求項５】
ファクシミリ手順に従って前記送信機から画データを受信する
ことを特徴とする請求項１乃至４のいずれか１つに記載の画像通信装置。
【発明の詳細な説明】
【技術分野】
【０００１】
本発明は、書き換え回数に制限のある半導体メモリを画データの保存に使用する画像通信装置に関する。
【背景技術】
【０００２】
近年、ＨＤＤ（Hard Disk Drive）に代わり、起動時間が短い、転送時間が短い、衝撃に強い、動作音がしない、筐体が小さい、消費電力が少ないなどの優れた特徴を有するＮＡＮＤ型フラッシュメモリを搭載したＳＳＤ(Solid State Drive)やｅＭＭＣ（embedded MultiMediaCard）等の半導体メモリの利用が広がっている。
【０００３】
ＮＡＮＤ型フラッシュメモリは、書き込みモードとして、ＳＬＣモード、ＭＬＣモードの２種類を有する。ＳＬＣモードは１セルに１ビットを書き込むモードであり、上限の書き換え回数は、ブロック単位で約１０万回である。ＭＬＣモードは、１セルに複数ビットを書き込むモードであり、上限の書き換え回数は、ブロック単位で３０００〜１万回程度である。
【０００４】
ＮＡＮＤ型フラッシュメモリでは、書き換え回数が上限の書き換え回数に達したブロックを不良ブロックとし、不良ブロックは以後のメモリ管理対象（使用可能なブロック）から除外される。
【０００５】
そのため、ＮＡＮＤ型フラッシュメモリを搭載したＳＳＤやｅＭＭＣを記憶部に採用する装置では、不良ブロックが増加した場合の対応策が要請される。
【０００６】
たとえば、下記特許文献１には、ホストからのアクセスが中断されることなく、不揮発メモリを交換可能とする記憶装置が開示されている。
【０００７】
また、ＳＳＤやｅＭＭＣはＨＤＤに比べてビット当たりの単価が高いので容量を抑えることも重要になる。
【０００８】
たとえば、両面印刷と高解像度印刷を両立させようとすると、ページメモリは通常の片面印刷の４.５倍必要となる。下記特許文献２に開示の両面印刷ファクシミリ装置では、両面印刷設定時は相手機に対する通信モードは４００ｄｐｉを宣言し、片面印刷設定時は６００ｄｐｉを宣言することで、両面印刷と高解像度印刷を両立させている。
【先行技術文献】
【特許文献】
【０００９】
【特許文献１】特開２０１０−２６６９６２号公報
【特許文献２】特開２００４−１０４２６８号公報
【発明の概要】
【発明が解決しようとする課題】
【００１０】
ファクシミリ受信においては、画像の内容が複雑になるほど、画データの量が増加するため、１ページ分としてどれだけの画データが送信されて来るかは不定であり、非常に大きな画データを受信して保存しなければならない場合が生じ得る。
【００１１】
ファクシミリ装置は、通常、１ページ分の画データを受信してバッファメモリに保存する処理が完了したら該ページの画データをバッファメモリから読み出して印刷を開始する。このようなファクシミリ装置において、受信した画データの保存先として書き換え回数に上限のある不揮発性半導体メモリを使用すると、書き換えを繰り返すうちに不良ブロック数が増大して使用可能な領域が減ってしまい、正常に受信完了できなくなるケースが考えられる。
【００１２】
たとえば、１ページの受信に必要と想定される容量以上の空き領域が存在することを受信開始時に確認して受信を開始したが、受信中に半導体メモリの書き換えが繰り返し行われて不良ブロックが増加してしまい、実際には容量不足になって通信異常になる場合等が考えられる。
【００１３】
本発明は、上記の問題を解決しようとするものであり、画データの保存先に使用している書き換え回数に制限のある半導体メモリの不良ブロックが受信中に増大してもメモリ不足による通信異常が生じ難い画像通信装置を提供することを目的としている。
【課題を解決するための手段】
【００１４】
かかる目的を達成するための本発明の要旨とするところは、次の各項の発明に存する。
【００１５】
［１］画データの送信機と通信する通信部と、
前記通信部が前記送信機から受信した画データを保存する、書き換え回数に制限のある半導体メモリと、
前記半導体メモリの不良ブロック数を取得する不良情報取得部と、
制御部と、
を有し、
ページサイズ毎にそのページサイズの通常のライン数より少ない確認ライン数を予め定めておき、
前記制御部は、受信開始時に、前記半導体メモリの現在の不良ブロック数を取得し、該取得した不良ブロック数が閾値以上の場合は、１ページ目の画データの受信開始前に前記送信機に通知する受信側の解像度能力として、不良ブロック数が前記閾値未満の場合に通知する解像度よりも低い解像度を通知する第１制御を行うと共に、受信中のページの受信済みのライン数が該受信中のページのページサイズに対応する前記確認ライン数を超えるタイミングで前記不良ブロック数の取得処理を開始し、該取得処理で得た第１の不良ブロック数が閾値以上の場合は、次ページの画データを、受信した解像度より低い解像度に変換して前記半導体メモリに保存する第２制御を行う
ことを特徴とする画像通信装置。
【００１６】
上記発明では、受信開始時に、半導体メモリの現在の不良ブロック数を調べ、不良ブロック数が予め定めた閾値以上の場合は、１ページ目の画データの受信開始前に送信機に通知する受信側の解像度能力として、不良ブロック数が閾値未満の場合に通知する解像度よりも低い解像度を通知する。また、通常、送信側から送信されてくる画データの解像度は、２ページ目以降も１ページ目と同じなので、２ページ目以降については、受信した画データの解像度を受信側の内部処理で下げてから半導体メモリに保存する。受信中のページの画データの受信終了を待たずに、該ページの画データの受信途中の所定のタイミング（ページサイズに応じたタイミング）から、不良ブロック数の取得処理を開始する。不良ブロック数の取得処理に時間を要することを考慮したものである。
【００１７】
［２］前記制御部は、前記送信機がアドレス帳に登録されている、もしくは、前記送信機を送信先とする送信履歴がある場合にのみ、前記第１制御を行う
ことを特徴とする［１］に記載の画像通信装置。
【００１８】
上記発明では、アドレス帳に登録されている、もしくは送信履歴のある場合は重要な通信先と考えられるので、そのような相手から受信する場合は、メモリ不足で通信エラーが生じないように、解像度を低くする。
【００１９】
［３］前記受信中のページの受信終了時点で、該ページの全受信ライン数と、該ページのページサイズに対応する確認ライン数と、該ページの受信開始時の不良ブロック数と、前記第１の不良ブロック数とに基づいて前記ページの受信終了時点における不良ブロック数を推定し、前記第１の不良ブロック数に代えて前記推定で得た不良ブロック数が閾値以上の場合に、前記第２制御を行う
ことを特徴とする［１］または［２］に記載の画像通信装置。
【００２１】
［４］前記制御部は、前記第２制御を行うと判断した場合であって次ページの受信開始前に受信側の能力を前記送信機に通知可能な場合は、前記第２制御に代えて、次ページの受信に関する受信側の解像度能力として、不良ブロック数が前記閾値未満の場合に通知する解像度よりも低い解像度を通知する制御を行う
ことを特徴とする［１］乃至［３］のいずれか１つに記載の画像通信装置。
【００２２】
上記発明では。２ページ目以降であっても、ＥＯＭ信号を受信した場合などは、受信側の能力を送信機に通知することができるので、そのような場合は、送信側に通知する受信側の能力としての解像度を、不良ブロック数に応じて変更する。
【００２７】
［５］ファクシミリ手順に従って前記送信機から画データを受信する
ことを特徴とする［１］乃至［４］のいずれか１つに記載の画像通信装置。
【発明の効果】
【００２８】
本発明に係る画像通信装置によれば、画データの保存先に使用している書き換え回数に制限のある半導体メモリの不良ブロックが受信中に増大してもメモリ不足による通信異常が生じ難い。
【図面の簡単な説明】
【００２９】
【図１】本発明の実施の形態に係る画像通信装置の概略構成を示すブロック図である。
【図２】ファクシミリ通信部の概略構成を示すブロック図である。
【図３】ファクシミリ通信部の他の構成例を示すブロック図である。
【図４】ファクシミリの通信フェーズを示す図である。
【図５】ファクシミリ受信が繰り返された場合の半導体メモリの状況の変化例を示す図である。
【図６】画像通信装置がファクシミリ受信を行う際の解像度の制御に関する処理の第１態様を、ファクシミリ通信手順のシーケンスと共に示す図である。
【図７】画像通信装置がファクシミリ受信を行う際の解像度の制御に関する処理の第２態様を、ファクシミリ通信手順のシーケンスと共に示す図である。
【図８】ＥＯＭを受信した場合の解像度の制御に関する処理を、ファクシミリ通信手順のシーケンスと共に示す図である。
【発明を実施するための形態】
【００３０】
以下、図面に基づき本発明の実施の形態を説明する。
【００３１】
図１は、本発明の実施の形態に係る画像通信装置１０の概略構成図を示す。画像通信装置１０は、原稿を光学的に読み取ってその複製画像を記録紙に印刷するコピー機能、読み取った原稿の画データをファイルにして保存するスキャン機能、外部の端末から送出された印刷データに基づいて画像を記録紙に印刷する印刷機能、ファクシミリ手順に従って画像を送受信するファクシミリ機能等を備えた、所謂、複合機である。なお、本発明ではファクシミリ機能を備えればよく、他の機能は付随的なものである。
【００３２】
ファクシミリ機能は、原稿を光学的に読み取って得た画データを、電話回線を通じて他のファクシミリ装置に送信するファクシミリ送信機能、および、外部のファクシミリ装置からファクシミリ通信にて送信された画データを受信し、その画データに対応する画像を記録紙に印刷して出力するファクシミリ受信機能から構成される。
【００３３】
画像通信装置１０は、当該画像通信装置１０の動作を制御するＣＰＵ１１（Central Processing Unit）１１と、このＣＰＵ１１に接続されたＲＯＭ（Read Only Memory）１２と、ＲＡＭ（Random Access Memory）１３と、読み取り部１４と、プリンタ部１５と、ファクシミリ通信部１６と、半導体メモリ１７と、表示部１８と、操作部１９と、画像処理部２０と、ネットワークＩ／Ｆ部２１と、無線ＬＡＮ（Local Area Network）モジュール２３と、音声出力部２４を備えて構成されている。
【００３４】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することで画像通信装置１０の各機能が実現される。
【００３５】
ＲＡＭ１３はＣＰＵ１１がプログラムを実行する際に各種のデータを一時的に格納するワークメモリとして使用される。
【００３６】
読み取り部１４は、原稿を光学的に読み取って画データを取得する機能を果たす。読み取り部１４は、たとえば、原稿に光を照射する光源と、その反射光を受けて原稿を幅方向に１ライン分読み取るラインイメージセンサと、ライン単位の読み取り位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画データに変換する変換部などを備えて構成される。
【００３７】
プリンタ部１５は、画データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。
【００３８】
ファクシミリ通信部１６は、電話回線を通じて外部のファクシミリ装置とファクシミリ通信の手順に従って画データを送受信する機能を果たす。
【００３９】
半導体メモリ１７は、書き換え回数に制限（上限）がある不揮発性の半導体メモリである。半導体メモリ１７は、ＮＡＮＤフィラッシュ型のメモリであり、たとえば、ＳＳＤやｅＭＭＣなどである。半導体メモリ１７は、ファクシミリ受信した画データを保存する領域として使用される。なお、半導体メモリ１７は画データの保存専用であってもよいし、他のデータを保存する領域に兼用されてもよい。
【００４０】
表示部１８は、液晶ディスプレイ（ＬＣＤ…Liquid Crystal Display）などで構成され、各種の操作、設定に係る内容を表示する機能を果たす。操作部１９は、ユーザからのジョブの投入や設定の変更など、各種の操作を受け付ける機能を果たす。操作部１９は、表示部１８の表示上に設けられて押下された座標位置を検出するタッチパネルのほか、テンキーや文字入力キー、スタートキーなどのハードキーを備えて構成される。
【００４１】
画像処理部２０は、画像の拡大縮小、回転などの処理のほか、画データの圧縮、伸張、解像度変換処理などを行う。
【００４２】
ネットワークＩ/Ｆ部２１は、有線ＬＡＮ（Local Area Network）などのネットワークを通じて外部の装置とデータの送受信を行う機能を果たす。
【００４３】
無線ＬＡＮモジュール２３は、無線ＬＡＮを通じて外部の装置とデータの送受信を行う。
【００４４】
音声出力部２４は、所謂スピーカーであり、画像通信装置１０が受け付けた操作に対応する操作音や、ファクシミリ通信を行う際の信号音等を発する。
【００４５】
なお、画像通信装置１０は、ファクシミリ送信先の電話番号等が登録されたアドレス帳を記憶している。このアドレス帳から送信先を選択してファクシミリ送信することができる。また画像通信装置１０は、ファクシミリ送信したとき、送信先の電話番号、送信開始時刻、通信時間、通信が正常終了したか否かなどの通信結果を、送信履歴として蓄積する機能を備えている。アドレス帳や送信履歴の記憶にも半導体メモリ１７の一部の領域が使用される。なお、他の不揮発性記憶装置を使用してもよい。
【００４６】
図２は、ファクシミリ通信部１６の概略構成を示す。ファクシミリ通信部１６は、交換機やターミナルアダプタ（ＴＡ）に通じる電話回線を接続するためのＬＩＮＥ端子３１、外付け電話機を接続するための外部電話接続端子３２、ダイオードブリッジ３３、外付けディスクリート回路３４、半導体ＤＡＡ(Data Access Arrangement)３５、結合トランス３６、モデム３７等を備えている。
【００４７】
半導体ＤＡＡ３５は、電流検出部、電圧検出部、インピーダンス制御回路等を有する。モデム３７は、回線制御部、変調復調処理部を有する。モデム３７は、送信時はデジタル信号をアナログ信号に変調する機能、受信時はアナログ信号をデジタル信号に復調する機能を果たす。図２に示すファクシミリ通信部１６のモデム３７から出力された受信データは、図１の画像処理部２０で直ちにデコードされてビットマップ形式の画データが生成され、さらに必要に応じて解像度変換が行われた後、半導体メモリ１７に保存される。
【００４８】
図３は、ファクシミリ通信部１６の他の構成例を示している。図２の構成に、ファクシミリ通信部１６に専用のＣＰＵ３８を加えた構成になっている。ＣＰＵ３８は、モデム制御部、画像処理部等の機能を果たす。図３の構成では、受信データは、ファクシミリ通信部１６のＣＰＵ３８の画像処理部において直ちにデコードされてビットマップ形式の画データが生成され、さらに必要に応じて解像度変換が行われる。画データはファクシミリ通信部１６のＣＰＵ３８から半導体メモリ１７に転送されて保存される。なお、図３の構成においても解像度変換を図１の画像処理部２０で行うようにしてもよい。
【００４９】
図４は、ファクシミリ通信手順の典型例を示すシーケンス図である。ファクシミリ通信手順は、発呼、フェーズＡ、フェーズＢ、フェーズＣ、フェーズＤ、フェーズＥで構成される。ファクシミリ通信において送受信される各種の信号は、ＩＴＵ−Ｔ（International Telecommunication Union Telecommunication standardization sector：国際電気通信連合電気通信標準化セクタ）の国際標準規格Ｔ．３０に準拠する信号である。
【００５０】
発呼において、交換機から送出されたＣＡＲ信号、およびＲＩＮＧ信号が受信側に到達する。ＣＡＲ信号は、送信側の電話番号を通知する信号である。ＲＩＮＧ信号は、着呼側への呼び出し信号である。
【００５１】
受信側がＲＩＮＧ信号に応じて着呼を認識して回線接続すると、フェーズＡに移行し、送信側からＣＮＧ（Calling Tone）信号が到来する。ＣＮＧ信号は、送信側がファクシミリ装置であることを示す信号であり、受信側では電話／ＦＡＸ（ファクシミリ）の自動切り替えに利用される。受信側は、送信側がファクシミリ装置であることを認識すると、ＣＥＤ（Called Station Identification）信号を送信側に送信する。ＣＥＤ信号は被呼端末（受信側）から送出される応答信号である。
【００５２】
ＣＥＤ信号を送出したらフェーズＢに移行する。フェーズＢでは、送信側と受信側が、互いの持つ機能を伝え合い、伝送速度や解像度などの決定が行われる。受信側から、標準モードの受信能力を示すＤＩＳ（Digital Identification Signal）信号と、被呼端末のファクシミリ番号を示すＣＳＩ（Called Subscriber Identification）信号と、非標準モードの受信能力を示すＮＳＦ（Non-Standard Facilities）信号が送出される。
【００５３】
送信側は、受信したＤＩＳ信号、ＣＳＩ信号、ＮＳＦ信号に対する応答として、標準モードでの送信条件（解像度、ページサイズ、通信速度など）を通知するＤＣＳ（Digital Command Signal）信号と、送信機のファクシミリ番号を示すＴＳＩ（Transmitting Subscriber Identification）信号と、ＤＣＳ信号の示す速度で通信が可能か否かを確認するためのトレーニング信号であるＴＣＦ（Training Check）信号を受信側に送出する。受信側はＴＣＦ信号を正常に受信できた場合に受信準備完了を示すＣＦＲ（Confirmation To Receive）信号を送出する。その後、フェーズＣに移行する。
【００５４】
フェーズＣでは、ＤＣＳ信号で決定されたモードで画データ（メッセージ）の送信が行われる。画データは、ＤＣＳ信号で取り決めた符号化方式で符号化されている。
【００５５】
画データの送信が終了すると、フェーズＤに移行する。フェーズＤでは送信側から今回送信したページが最終ページか否か等を示す信号が送出される。図４では、送信したメッセージが最終ページではないことを示すＭＰＳ（Multi Page Signal）信号を送出している。受信側はフェーズＣの画データを正常に受信できた場合は、ＭＰＳ信号に対する応答としてＭＣＦ（Message Confirmation）信号を送信側へ送出する。これによりフェーズＣに移行して、次ページの画データが送信される。
【００５６】
次ページがない場合、送信側は、画データの送信が終了したことを示すＥＯＰ（End of Procedure）信号を受信側に送信する。受信側は、ＥＯＰ信号の返答としてＭＣＦ信号を送信側に送信する。その後、フェーズＥに進み、送信側から受信側へＤＣＮ（Disconnect）信号を送信し、送信側、受信側双方で回線の切断動作に入ってファクシミリ通信が終了する。
【００５７】
以上のような手順でファクシミリ受信を行う際に、受信側となっている画像通信装置１０は、半導体メモリ１７に保存する画データの解像度を、不良ブロック数が閾値以上の場合に、不良ブロック数が閾値未満の場合より低くなるように制御する。具体的には、フェーズＢで送信側に通知する自装置の解像度に関する受信能力を、自装置が有する最高解像度より低い解像度にする。また、１ページ目の受信完了時点等で不良ブロック数が閾値以上になった場合であってフェーズＢに戻って送信側に受信能力の変更を通知できない場合は、受信した画データの解像度を低くするように画像通信装置１０の内部で解像度変換処理を行い、変換後の画データを半導体メモリ１７に保存する。
【００５８】
図５は、ファクシミリ受信が繰り返された場合の半導体メモリ１７の状況の変化例を示す図である。同図（ａ）は、データ保存にメモリ領域の２０％が使用され、不良ブロックが該メモリ領域の１０％ある状態を示している。この状態では、不良ブロック数が閾値未満なので、次のファクシミリ受信は、６００ｄｐｉの解像度で行われ、同図（ｂ）に示すように、受信した画データの保存にさらに１０％が使用される。その後、受信したこの画データは半導体メモリ１７から読み出されて印刷される。
【００５９】
このようなファクシミリ受信による書き換えが繰り返されるうちに、半導体メモリ１７は、たとえば、同図（ｃ）に示すように、画データ保存用のメモリ領域の３０％が使用され、不良ブロックが該メモリ領域の２０％に増加した状態になる。この状態では、不良ブロック数が閾値以上なので、次のファクシミリ受信は、解像度を低下させた４００ｄｐｉで行われ、同図（ｄ）に示すように、受信した画データの保存に５％が使用される。
【００６０】
なお、画像通信装置１０では、半導体メモリ１７に１ページ分の画データが保存されると、そのページの印刷をすぐに開始するように動作する。そのため、半導体メモリ１７に設けた画データ保存用の領域に対して頻繁にデータの書き換えが行われる。
【００６１】
半導体メモリ１７に設けた画データ保存用の領域の空き容量が、次ページの受信に足りる場合であっても、次ページの受信中に該ページの画データの保存のための書き換えを行っている間に不良ブロック数が増大し、そのページの保存ができなくなる恐れがある。
【００６２】
そこで、画像通信装置１０は、受信開始時や、次ページの受信開始前にその時点での不良ブロック数を調べ、閾値以上の場合に、保存する画データの解像度が低くなるように制御して、メモリ不足による通信エラーを防止する。
【００６３】
図６は、画像通信装置１０がファクシミリ受信を行う際の解像度の制御に関する処理の第１態様を、ファクシミリ通信手順のシーケンスと共に示している。ＣＡＲ信号が到来したとき、画像通信装置１０のＣＰＵ１１は、ＣＡＲ信号で通知された電話番号が、画像通信装置１０が有するアドレス帳に登録されている、あるいは、送信履歴に登録されているかを確認する（ステップＳ１０１）。
【００６４】
ＣＡＲ信号で通知された電話番号が、アドレス帳に登録されている、あるいは送信履歴に存在する場合は（ステップＳ１０２；Ｙｅｓ）、重要な通信相手からの着呼と判断し、現在の半導体メモリ１７の不良ブロック数を取得する（ステップＳ１０４）。不良ブロック数は、スマート情報から取得する。
【００６５】
ＣＡＲ信号で通知された電話番号が、アドレス帳や送信履歴に登録されていない場合は（ステップＳ１０２；Ｎｏ）、不良ブロック数に係らず、通常のシーケンスでファクシミリ受信を行う（ステップＳ１０３）。
【００６６】
なお、重要な通信相手からの着呼か否かの判断は、上記の方法に限定されない。また、すべての着呼について、不良ブロック数に応じた制御を行うようにしてもよい。
【００６７】
ステップＳ１０４で取得した不良ブロック数が予め定めた閾値以上か否かを判断し（ステップＳ１０５）、閾値未満ならば（ステップＳ１０５；Ｎｏ）、画像通信装置１０が受信能力として有する最高の解像度をフェーズＢのＤＩＳ信号で送信側に通知する（ステップＳ１０６）。閾値は、たとえば、画データの保存用に割り当てた領域の２０％に相当する値などに設定される。
【００６８】
ステップＳ１０４で取得した不良ブロック数が予め定めた閾値以上の場合は（ステップＳ１０５；Ｙｅｓ）、画像通信装置１０が受信能力として有する最高の解像度より低い解像度をフェーズＢのＤＩＳ信号で送信側に通知する（ステップＳ１０７）。
【００６９】
送信側は、受信側から通知された解像度以下の解像度で画データを送信する。受信側は、受信した画データをそのままの解像度で半導体メモリ１７に保存する（ステップＳ１０８）。
【００７０】
画像通信装置１０は、フェーズＤでＭＰＳ信号を受信した場合は、次ページがあるので、半導体メモリ１７の現在の不良ブロック数を改めて取得する（ステップＳ１０９）。スマート情報から不良ブロック数を取得するには、ある程度の時間がかかるので、ＭＣＦ信号の送出を遅らせる。
【００７１】
画像通信装置１０は、取得した不良ブロック数が閾値以上か否かを判断する（ステップＳ１１０）。該判断の後にＭＣＦ信号を送出する。ＭＰＳ信号を受信した場合、フェーズＤからフェーズＣに移行するので、次ページの画データの受信開始前に受信側の能力を送信側に通知することはできない。そこで、不良ブロック数が閾値以上の場合は（ステップＳ１１０；Ｙｅｓ）、受信した画データを受信時の解像度より低い解像度に受信側の内部処理で逐次変換し、該変換後の画データを半導体メモリ１７に保存する（ステップＳ１１１）。受信、解像度変換、変換後の画データの半導体メモリ１７への保存は、流れ作業的に同時並行に行われる。
【００７２】
不良ブロック数が閾値未満ならば（ステップＳ１１０；Ｎｏ）、受信した画データをそのままの解像度で、半導体メモリ１７に保存する（ステップＳ１１２）。
【００７３】
フェーズＤでＥＯＰ信号を受信したら、最終ページの受信が完了したので、ＭＣＦ信号を送信側へ送出した後、回線を切断して、通信を終了する（ステップＳ１１３）。
【００７４】
図７は、画像通信装置１０がファクシミリ受信を行う際の解像度の制御に関する処理の第２態様を、ファクシミリ通信手順のシーケンスと共に示している。図６に示す第１態様の処理では、一のページの受信終了時点（ステップＳ１０９）で不良ブロック数を取得する処理を開始する。不良ブロック数の取得処理にはある程度長い時間を要するので、フェーズＤに入ってから不良ブロック数の取得処理を開始すると、ＭＣＦ信号を送信側に送出するタイミングが遅れてしまい、通信時間が無駄に長くなってしまう。そこで、第２態様の処理では、画データの受信途中の所定のタイミングで、次ページの受信に備えて、不良ブロック数の取得処理を前倒しで開始して不良ブロック数を取得する。
【００７５】
図７において、図６と同じ処理には同一のステップ番号を付してあり、それらの説明は適宜省略する。１ページ目のフェーズＣにおいて、受信した画データを半導体メモリ１７に保存する処理と平行して、判定処理を行う（ステップＳ１２０）。詳細には、ページサイズ（Ａ４、Ａ３など）毎に確認ライン数を予め定めておき、受信中のページにおける受信済みのライン数が、受信中のページのページサイズに対応する確認ライン数を超えたとき（ステップＳ１２１；Ｙｅｓ）、不良ブロック数の取得処理を開始して、不良ブロック数を取得する（ステップＳ１２２）。
【００７６】
確認ライン数は、たとえば、その原稿サイズ（規定のサイズ）における総ライン数の２分の１、あるいは３分の２のライン数等に設定される。不良ブロック数は、受信中も書き換え回数に応じて増加するので、できるだけ受信終了時に近づくのを待ってから不良ブロック数の取得処理を開始することが望ましい。しかし、１ページ分の画データの量は不特定であり、画データの受信がいつ終了するかは未知である。そこで、ページサイズに応じた確認ライン数を予め設定しておき、受信済みのライン数が確認ライン数を超えるのを待ってから不良ブロック数の取得処理を開始する。
【００７７】
不良ブロック数を取得したら、該不良ブロック数が閾値以上か否かを判断する（ステップＳ１２３）。
【００７８】
確認ライン数を超えた時点で不良ブロック数の取得処理を前倒しで開始した場合、ページの受信終了時点では、取得した値よりさらに不良ブロック数が増える可能性がある。そのため、その分を考慮して閾値を下げるように調整する、あるいは、受信中に求めた不良ブロック数から受信終了時点の推定の不良ブロック数を求め、これと閾値とを比較する、といった補正処理を行うことが望ましい。たとえば、１ページ目の受信中（確認ライン数を超えた時点）に求めた不良ブロック数をＡ、１ページ目の受信開始前の不良ブロック数をＢ、確認ライン数をＣ、実際に受信終了時点での１ページ目の総ライン数をＤ、としたとき、Ａ＋（Ａ−Ｂ）×Ｄ／Ｃ  を推定の不良ブロック数として求め、該推定の不良ブロック数と閾値とを比較して判断する。
【００７９】
閾値未満ならば（ステップＳ１２３；Ｎｏ）、解像度は変更なし（ステップＳ１２４）、閾値以上ならば（ステップＳ１２３；Ｙｅｓ）、次ページの解像度を、現在のページの解像度より低い解像度に設定する（ステップＳ１２５）。
【００８０】
図７の例では、フェーズＤで送信側からＭＰＳ信号を受けたので、次ページの画データの受信前にフェーズＢに戻って受信側の能力を送信側に通知することはできない。そこで、次ページの受信においては、受信した画データを、Ｓ１２５で決定した解像度に変換して、あるいはＳ１２４の場合は解像度を変換せずにそのままの解像度で、半導体メモリ１７に保存する。該画データの保存と平行して、先ほどと同様の判定処理を行う（Ｓ１２９）
図８は、フェーズＤで送信側からＥＯＭ(End Of Massage)信号を受信した場合の処理を示している。ＥＯＭ信号を受信した場合は、フェーズＤの次にフェーズＢに戻って受信側の能力を送信側は通知し、送信条件を決め直す。
【００８１】
画像通信装置１０は、フェーズＣにおいて受信中のページで受信済みライン数が確認ライン数を超えたら（ステップＳ１３１；Ｙｅｓ）、図７の場合と同様に不良ブロック数の取得処理を開始し、不良ブロック数を取得する（ステップＳ１３２）。そして、不良ブロック数が閾値以上か否かを判断する（ステップＳ１３３）。
【００８２】
閾値未満の場合は（ステップＳ１３３；Ｎｏ）、フェーズＤで送信側からＥＯＭ信号を受信したら、画像通信装置１０が受信能力として有する最高の解像度をＤＩＳ信号で送信側に通知する（ステップＳ１３４）。
【００８３】
不良ブロック数が予め定めた閾値以上の場合は（ステップＳ１３３；Ｙｅｓ）、画像通信装置１０が受信能力として有する最高の解像度より低い解像度をＤＩＳ信号で送信側に通知する（ステップＳ１３５）。
【００８４】
次に、送信側からＤＣＳ信号を受信したら、該ＤＣＳ信号で指定された次ページのページサイズに応じて確認ライン数を変更する（ステップＳ１３６）。以後は、図７のステップＳ１０８、Ｓ１２０、Ｓ１２９と同様の処理となる。
【００８５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８６】
受信開始時に不良ブロック数と比較する閾値（ステップＳ１０５の閾値）と、２ページ目以降の受信に際して不良ブロック数と比較する閾値（ステップＳ１１０、Ｓ１２３、Ｓ１３３の閾値）は、同一であっても、それぞれ異なる値としてもよい。
【００８７】
本発明の実施の形態では、画像を送信する通信方式としてファクシミリ通信を例に説明したが、画像を送信する通信であれば、ファクシミリ通信以外の通信方式であってもよい。この場合も、画データの受信に先だって現在の不良ブロック数を取得し、これが閾値以上の場合は、閾値未満の場合より低い解像度で相手から受信する、あるいは受信した画データをより低い解像度に変換して半導体メモリ１７に保存するようにすればよい。
【００８８】
実施の形態では、不良ブロック数を閾値と比較した。半導体メモリ１７のうち、画データの保存用の領域のサイズが固定であれば、そのサイズに応じた閾値が設定される。画データの保存用の領域のサイズが変動する場合には、不良ブロック数を取得した時点における画データの保存用の領域のサイズに対応した閾値を使用すればよい。また、画データの保存用の領域のうちの空き領域のサイズに応じて閾値を変更してもよい。
【００８９】
実施の形態では、画像通信装置１０が受信能力として有する最高の解像度とそれより低い解像度を使用したが、不良ブロック数が閾値以上の場合に採用する解像度が、不良ブロック数が閾値未満の場合に採用する解像度よりも低い解像度であれば、それぞれの解像度は任意でよい。
【符号の説明】
【００９０】
１０…画像通信装置
１１…ＣＰＵ
１２…ＲＯＭ
１３…ＲＡＭ
１４…読み取り部
１５…プリンタ部
１６…ファクシミリ通信部
１７…半導体メモリ
１８…表示部
１９…操作部
２０…画像処理部
２１…ネットワークＩ／Ｆ部
２３…無線ＬＡＮモジュール
２４…音声出力部
３１…ＬＩＮＥ端子
３２…外部電話接続端子
３３…ダイオードブリッジ
３４…外付けディスクリート回路
３５…半導体ＤＡＡ
３６…結合トランス
３７…モデム
３８…ＣＰＵ
【図１】
0006492887.tif 000002
【図２】
0006492887.tif 000003
【図３】
0006492887.tif 000004
【図４】
0006492887.tif 000005
【図５】
0006492887.tif 000006
【図６】
0006492887.tif 000007
【図７】
0006492887.tif 000008
【図８】
0006492887.tif 000009